【手続補正書】
【提出日】平成29年6月16日(2017.6.16)
【手続補正１】
【補正対象書類名】特許請求の範囲
【補正対象項目名】全文
【補正方法】変更
【補正の内容】
【特許請求の範囲】
【請求項１】
画像形成システムにおける連続給紙ロール紙材受像媒体をハンドリングするための方法であって、
画像形成システムにおける連続給紙ロール紙材受像媒体を提供するステップと、
前記画像形成システムにおけるマルチモード媒体ハンドリングシステムを提供するステップであり、前記マルチモード媒体ハンドリングシステムは、前記連続給紙ロール紙材受像媒体をハンドリングするための少なくとも２つの別々に選択可能な動作モードを有し、前記動作モードは、
少なくとも２つの対向ローラーが媒体駆動ニップを形成する状態で互いに向かい合うように第１の位置に配置されるニップベースの媒体駆動動作モードと、
前記少なくとも２つの対向ローラーが、搬送方向に互いにオフセットされる第２の位置に配置され、前記連続給紙ロール紙材受像媒体に対してテンション状態での接触を維持する、デュアルテンションロール紙支持動作モードと、を含むステップと、
前記連続給紙ロール紙材受像媒体をハンドリングするための前記少なくとも２つの別々に選択可能な動作モードのうちの１つを選択するステップと、
前記連続給紙ロール紙材受像媒体をハンドリングするための前記少なくとも２つの別々に選択可能な動作モードのうちの前記選択された１つに従って、前記少なくとも２つの対向ローラーを位置決めするステップであって、前記連続給紙ロール紙材受像媒体をハンドリングするための前記少なくとも２つの別々に選択可能な動作モードの各々において、前記少なくとも２つの対向ローラーは前記連続給紙ロール紙材受像媒体に対してテンション状態での接触を維持する、ステップと、
一旦、前記連続給紙ロール紙材受像媒体をハンドリングするための前記少なくとも２つの別々に選択可能な動作モードのうちの前記選択された１つに従って、前記少なくとも２つの対向ローラーが配置されると、前記画像形成システムにおける受像媒体ハンドリング動作を実行するステップと、を含む方法。
【請求項２】
プロセッサを用いて、前記少なくとも２つの別々に選択可能な動作モードのうちのいずれが相対的に好ましいかを決定するステップをさらに含む、請求項１に記載の方法。
【請求項３】
前記決定するステップは、前記連続給紙ロール紙材受像媒体が形成される材料と、前記連続給紙ロール紙材受像媒体上に画像を作成するために前記連続給紙ロール紙材受像媒体に堆積されるマーキング材料と、連続給紙またはロール紙材受像媒体上の前記マーキング材料を溶融し、定着させ、または仕上げ処理をするための後処理技術と、マーキングされた前記連続給紙または受像媒体が出力画像製品の生産において施され得る他の後処理技術と、のうちの少なくとも１つに基づく、請求項２に記載の方法。
【請求項４】
前記決定するステップの結果をユーザーに対して提示するステップをさらに含む、請求項２に記載の方法。
【請求項５】
前記提示するステップが、前記画像形成システムと関係する表示機器上に前記決定するステップの前記結果を前記ユーザーに対して表示するステップを含む、請求項４に記載の方法。
【請求項６】
前記連続給紙ロール紙材受像媒体をハンドリングするための前記少なくとも２つの別々に選択可能な動作モードのうちの前記１つを前記選択するステップが、前記画像形成システムと関係するユーザーインターフェースを介して前記ユーザーから入力選択を受け取るステップを含む、請求項５に記載の方法。
【請求項７】
前記連続給紙ロール紙材受像媒体をハンドリングするための前記少なくとも２つの別々に選択可能な動作モードのうちの前記１つを前記選択するステップが、前記決定するステップの結果に従って前記少なくとも２つの別々に選択可能な動作モードのうちの前記１つの自動選択を実行するステップを含む、請求項２に記載の方法。
【請求項８】
前記連続給紙ロール紙材受像媒体をハンドリングするための前記少なくとも２つの別々に選択可能な動作モードのうちの前記選択された１つが前記決定するステップの前記結果と異なる場合には、前記画像形成システムにおける前記受像媒体ハンドリング動作の実行を禁止するステップをさらに含む、請求項２に記載の方法。
【請求項９】
前記デュアルテンションロール紙支持動作モードが、下流の媒体駆動機器によってさらに支持される、請求項１に記載の方法。
【請求項１０】
画像形成システムにおける連続給紙ロール紙材受像媒体をハンドリングするための機器であって、
連続給紙ロール紙材受像媒体の第１の表面に面する、少なくとも第１の媒体ハンドリングローラーを含む第１のアセンブリと、
前記連続給紙ロール紙材受像媒体の第２の表面に面する、少なくとも第２の媒体ハンドリングローラーを含む第２のアセンブリと、
マルチモード媒体ハンドリング動作を実行するように構成されたプロセッサと、を備え、前記マルチモード媒体ハンドリング動作は、少なくとも、
前記第１の媒体ハンドリングローラーおよび前記第２の媒体ハンドリングローラーが媒体駆動ニップを形成する状態で互いに向かい合うように第１の位置に配置されるニップベースの媒体駆動動作モードと、
前記第１の媒体ハンドリングローラーおよび前記第２の媒体ハンドリングローラーが、搬送方向に互いにオフセットされる第２の位置に配置され、前記連続給紙ロール紙材受像媒体に対してテンション状態での接触を維持する、デュアルテンションロール紙支持動作モードと、の間で、前記第１のアセンブリおよび前記第２のアセンブリの相対的運動を制御することによる、前記連続給紙ロール紙材受像媒体をハンドリングするための少なくとも２つの別々に選択可能な動作モードのうちからの選択を含む機器。
【請求項１１】
前記プロセッサがさらに、前記連続給紙ロール紙材受像媒体をハンドリングするための前記少なくとも２つの別々に選択可能な動作モードのうちの１つを選択するように構成されている、請求項１０に記載の機器。
【請求項１２】
前記連続給紙ロール紙材受像媒体をハンドリングするための前記少なくとも２つの別々に選択可能な動作モードのうちの前記選択された１つに従って、前記第１のアセンブリおよび前記第２のアセンブリを位置決めするように構成された位置決め装置をさらに備え、前記連続給紙ロール紙材受像媒体をハンドリングするための前記少なくとも２つの別々に選択可能な動作モードの各々において、前記少なくとも２つの対向ローラーは前記連続給紙ロール紙材受像媒体に対してテンション状態での接触を維持する、請求項１１に記載の機器。
【請求項１３】
前記プロセッサがさらに、一旦、前記連続給紙ロール紙材受像媒体をハンドリングするための前記少なくとも２つの別々に選択可能な動作モードのうちの前記選択された１つに従って前記第１のアセンブリおよび前記第２のアセンブリが配置されると、前記画像形成システムにおける受像媒体ハンドリング動作を実行するように構成されている、請求項１２に記載の機器。
【請求項１４】
前記プロセッサが、前記少なくとも２つの別々に選択可能な動作モードのうちのいずれが相対的に好ましいかについての決定を行うように構成されている、請求項１０に記載の機器。
【請求項１５】
前記決定は、前記連続給紙ロール紙材受像媒体が形成される材料と、前記連続給紙ロール紙材受像媒体上に画像を作成するために前記連続給紙ロール紙材受像媒体に堆積されるマーキング材料と、前記連続給紙またはロール紙材受像媒体上の前記マーキング材料を溶融し、定着させ、または仕上げ処理をするための後処理技術と、マーキングされた前記連続給紙または受像媒体が出力画像製品の生産において施され得る他の後処理技術と、のうちの少なくとも１つに基づく、請求項１４に記載の機器。
【請求項１６】
前記決定の結果をユーザーに対して表示するように構成された表示機器をさらに備える、請求項１４に記載の機器。
【請求項１７】
前記プロセッサがさらに、前記連続給紙ロール紙材受像媒体をハンドリングするための前記少なくとも２つの別々に選択可能な動作モードのうちの前記１つを、ユーザーインターフェースを介したユーザーからの入力選択に基づいて選択するように構成されている、請求項１４に記載の機器。
【請求項１８】
前記プロセッサがさらに、前記連続給紙ロール紙材受像媒体をハンドリングするための前記少なくとも２つの別々に選択可能な動作モードのうちの前記１つを、前記決定の結果に従って自動的に選択するように構成されている、請求項１４に記載の機器。
【請求項１９】
前記プロセッサがさらに、前記連続給紙ロール紙材受像媒体をハンドリングするための前記少なくとも２つの別々に選択可能な動作モードのうちの前記選択された１つが前記決定の結果と異なる場合には、前記画像形成システムにおける前記受像媒体ハンドリング動作の実行を禁止するように構成されている、請求項１４に記載の機器。
【請求項２０】
一式の命令を記録した非一時的なコンピュータ可読媒体であって、前記一式の命令は、プロセッサが実行した場合に、画像形成システムにおける連続給紙ロール紙材受像媒体をハンドリングするための方法の各ステップを前記プロセッサに実行させるものであり、前記方法は、
画像形成システムにおける連続給紙ロール紙材受像媒体を提供するステップと、
前記画像形成システムにおけるマルチモード媒体ハンドリングシステムを提供するステップであり、前記マルチモード媒体ハンドリングシステムは、前記連続給紙ロール紙材受像媒体をハンドリングするための少なくとも２つの別々に選択可能な動作モードを有し、前記動作モードは、
少なくとも２つの対向ローラーが媒体駆動ニップを形成する状態で互いに向かい合うように第１の位置に配置されるニップベースの媒体駆動動作モードと、
前記少なくとも２つの対向ローラーが、搬送方向に互いにオフセットされる第２の位置に配置され、前記連続給紙ロール紙材受像媒体に対してテンション状態での接触を維持するデュアルテンションロール紙支持動作モードと、を含むステップと、
前記連続給紙ロール紙材受像媒体をハンドリングするための前記少なくとも２つの別々に選択可能な動作モードのうちの１つを選択するステップと、
前記連続給紙ロール紙材受像媒体をハンドリングするための前記少なくとも２つの別々に選択可能な動作モードのうちの前記選択された１つに従って、前記少なくとも２つの対向ローラーを位置決めするステップであって、前記連続給紙ロール紙材受像媒体をハンドリングするための前記少なくとも２つの別々に選択可能な動作モードの各々において、前記少なくとも２つの対向ローラーは前記連続給紙ロール紙材受像媒体に対してテンション状態での接触を維持する、ステップと、
一旦、前記連続給紙ロール紙材受像媒体をハンドリングするための前記少なくとも２つの別々に選択可能な動作モードのうちの前記選択された１つに従って、前記少なくとも２つの対向ローラーが配置されると、前記画像形成システムにおける受像媒体ハンドリング動作を実行するステップと、を含む方法。